(57)【特許請求の範囲】
【請求項１】
両端部に形成された外磁脚と該外磁脚間に形成された内磁脚とを有する一対の第１コアを、前記外磁脚及び前記内磁脚が対向するように組み合わせた複数のコア部材と、
前記外磁脚と前記内磁脚とによって形成される空間を利用して、前記複数のコア部材の前記内磁脚の周囲に巻回された１次コイルと、
前記第１コアの側面及び前記外磁脚と前記内磁脚との間の溝部底面を沿うように前記複数のコア部材の各々に設けられた２次コイルと、
前記複数のコア部材に対応する凸部を有しており、対応する前記凸部を前記複数のコア部材にそれぞれ当接させて前記複数のコア部材と一体的に組み合わされた第２コアと、
前記第２コアの前記凸部の間に形成された溝部に沿うように配置され、一端が前記複数のコア部材側に折り曲げられた平滑コイルバスバーと、
前記平滑コイルバスバーの一端の先端部に設けられ、前記複数のコア部材の各々に設けられた前記２次コイルに接続される配線バスバーと
を備えることを特徴とするトランス。
【請求項２】
請求項１に記載のトランスと、
前記トランスの前記１次コイルに接続されたスイッチング回路と、
前記トランスの前記２次コイルに接続された整流回路と、
を備えることを特徴とするスイッチング電源。
【発明の詳細な説明】
【技術分野】
【０００１】
本発明は、トランス及びスイッチング電源に関する。
【背景技術】
【０００２】
近年では、車両の燃費性能及び環境保護性能を向上させる技術の１つとして、車両にエンジンとモータの２つの動力源を搭載し、走行状況に応じて両者を協調制御するハイブリッドシステムの導入が進んでいる。このハイブリッドシステムでは、モータを駆動する場合、高電圧バッテリから出力される直流電圧をインバータによって３相交流電圧に変換してモータに供給することが一般的である。
【０００３】
また、このハイブリッドシステムでは、インバータの入力側に設けられた平滑コンデンサにスイッチング電源を接続し、モータ駆動時に平滑コンデンサに蓄えられた高電圧電力を、スイッチング電源によって低電圧電力に変換して低電圧バッテリに蓄えることにより、エネルギー効率の向上及び感電事故の防止を図っている。
【０００４】
このように車両に搭載されるスイッチング電源には、高い信頼性に加えて高性能化、小型化及び低コスト化が要求されるため、従来から様々な改良技術が提案されている。例えば、下記特許文献１には、小型化、部品点数の削減が可能で放熱性の良好なＤＣ−ＤＣコンバータ（スイッチング電源）の構成が開示されており、また、下記特許文献２には、ブスバー（バスバーともいう）の引き回しが簡素で、配線基板の強度向上が不要であり、トランスまたはチョークコイルの長寿命化が可能なＤＣ−ＤＣコンバータの構成が開示されている。
【先行技術文献】
【特許文献】
【０００５】
【特許文献１】特開２００７−２２１９１９号公報
【特許文献２】特開２０００−１４１４９号公報
【発明の概要】
【発明が解決しようとする課題】
【０００６】
上記特許文献１及び２に開示されたスイッチング電源の構成では、トランスと平滑コイルを別々に構成しているため、組み付け点数が多くなり、装置全体が大型化する虞があった。また、組み付けレイアウト上、トランスと平滑コイル間の距離が長くなるため、インダクタンスが大きくなり、その結果、回路損失が大きくなる虞があった。
【０００７】
本発明は、上述した事情に鑑みてなされたものであり、小型化及び回路損失の低減を図ることの可能なトランス及びスイッチング電源を提供することを目的とする。
【課題を解決するための手段】
【０００８】
上記課題を解決するために、本発明では、トランスに係る第１の解決手段として、対向するように組み合わされた一対のコアを複数備えるトランスであって、前記複数のコアの各々に共通するように配置された共通コアと、前記共通コアに配置された配線バスバー及び平滑コイルバスバーとを備える、という手段を採用する。
これによると、従来ではトランスの外部に設けていた平滑コイルを、トランスに一体的に組み込んだ構成としたことにより、スイッチング電源の組み付け点数を少なくして、装置全体を小型化することができる。また、トランスに平滑コイルを一体的に組み込んだ構成としたことにより、トランスと平滑コイルとの距離を短くでき、回路損失を低減することができる。
【０００９】
また、トランスに係る第２の解決手段として、上記第１の解決手段において、前記複数のコアの各々と前記共通コアの一部が対面するように配置され、前記複数のコアと前記共通コアに挟まれる位置に前記配線バスバーを配置し、且つ前記共通コアにおいて前記複数のコア間に対応する位置に前記平滑コイルバスバーを配置した、という手段を採用する。
これによると、各バスバーの最適配置により、配線距離を短くしてインダクタンスを低減でき、その結果、回路損失低減に寄与する。
【００１０】
さらに、本発明では、スイッチング電源に係る解決手段として、上記第１または第２の解決手段を有するトランスと、前記トランスの１次側に接続されたスイッチング回路と、前記トランスの２次側に接続された整流回路とを備える、という手段を採用する。
これによると、装置全体の小型化及び回路損失の低減を実現したスイッチング電源を得ることができる。
【発明の効果】
【００１１】
本発明によれば、小型化及び回路損失の低減を図ることの可能なトランス及びスイッチング電源を提供することができる。
【図面の簡単な説明】
【００１２】
【図１】本実施形態におけるインダクタ１の分解斜視図及び組立て後の斜視図である。
【図２】２つのインダクタ１を組み合わせて得られる合成インダクタの斜視図及びその等価回路図である。
【図３】図２に示す合成インダクタを２つ隣り合うように配置した状態を示す斜視図及びその等価回路図である。
【図４】本実施形態におけるトランス１００の斜視図（１次コイル省略）及び各方向からトランス１００を視た矢視図である。
【図５】本実施形態におけるトランス１００の斜視図（１次コイル有り）及び等価回路図である。
【図６】本実施形態におけるスイッチング電源４００の回路構成図である。
【発明を実施するための形態】
【００１３】
以下、本発明の一実施形態について、図面を参照しながら説明する。なお、以下では、説明の便宜上、本実施形態におけるトランス及びスイッチング電源を説明するに当って、始めにトランスの構成部品であるインダクタについて説明する。
〔インダクタ〕
図１（ａ）は、本実施形態におけるインダクタ１の分解斜視図であり、図１（ｂ）は、組立て後におけるインダクタ１の斜視図である。これらの図に示すように、本実施形態におけるインダクタ１は、コア１０、絶縁ケース２０及び平板状コイル３０から構成されている。
【００１４】
コア１０は、例えば平面的に矩形をなすＥ字型のフェライトコアであり、長辺方向の両端部に突出するように形成された外磁脚１１及び１２と、これら外磁脚１１と１２との間の中間位置において並列的に突出するように形成された内磁脚１３とを有している。これら外磁脚１１、１２の頂上面１１ａ、１２ａと、内磁脚１３の頂上面１３ａは平面的に矩形をなし、互いに同一の高さとなるように寸法設定されている。
【００１５】
また、コア１０において、外磁脚１１と内磁脚１３との間には底面１４ａを有する溝部１４が形成され、外磁脚１２と内磁脚１３との間には底面１５ａを有する溝部１５が形成されている。なお、コア１０において、一方のＥ字形状の側面を１０ａ、他方のＥ字形状の側面を１０ｂ、一方の矩形状の側面を１０ｃ、他方の矩形状の側面を１０ｄ、各磁脚頂上面１１ａ、１２ａ及び１３ａに対して反対側の面（裏面）を１０ｅとする。
【００１６】
絶縁ケース２０は、コア１０の各磁脚頂上面１１ａ、１２ａ及び１３ａと裏面１０ｅとが露出し、その他の面が被覆されるように加工形成された絶縁部材である。つまり、この絶縁ケース２０には、コア１０の各磁脚頂上面１１ａ、１２ａ及び１３ａを露出させるための開口部２１、２２、２３と、裏面１０ｅを露出させるための開口部２４とが設けられている。このような絶縁ケース２０をコア１０に装着することで、コア１０の各磁脚頂上面１１ａ、１２ａ、１３ａ及び裏面１０ｅは外部に露出する一方、各溝部底面１４ａ、１５ａ及び各側面１０ａ、１０ｂ、１０ｃ、１０ｄを含む他の面は絶縁ケース２０によって被覆された状態となる（図１（ｂ）参照）。
【００１７】
平板状コイル３０は、コア１０の側面１０ａ、１０ｂ、１０ｄ及び溝部底面１４ａ、１５ａを沿うように折り曲げ加工によって形成された平板状配線部材（バスバー）である。つまり、この平板状コイル３０は、コア１０の側面１０ａを沿うように形成された導電路３１と、溝部底面１４ａ、１５ａを沿うように形成された導電路３２、３３と、側面１０ｂを沿うように形成された導電路３４、３５と、側面１０ｄを沿うように形成された導電路３６とを有している。
【００１８】
詳細には、導電路３１は、コア１０の側面１０ａにおいて溝部１４から１５までの区間を沿うように、コア１０の長辺方向と平行に延設されている。導電路３２は、溝部底面１４ａの全区間を沿うように、導電路３１の溝部１４側の端部から屈曲してコア１０の短辺方向と平行に延設されている。導電路３３は、溝部底面１５ａの全区間を沿うように、導電路３１の溝部１５側の端部から屈曲してコア１０の短辺方向と平行に延設されている。
【００１９】
導電路３４は、コア１０の側面１０ｂにおいて溝部１４から側面１０ｄまでの区間を沿うように、導電路３２の側面１０ｂ側の端部から屈曲してコア１０の長辺方向と平行に延設されている。導電路３５は、コア１０の側面１０ｂにおける溝部１５から側面１０ｃまでの区間を沿うように、導電路３３の側面１０ｂ側の端部から屈曲してコア１０の長辺方向と平行に延設されている。導電路３６は、コア１０の側面１０ｄにおいて側面１０ｂから中央位置までの区間を沿うように、導電路３４の側面１０ｄ側の端部から屈曲してコア１０の短辺方向と平行に延設されている。
【００２０】
また、この平板状コイル３０は、導電路３５の端部（導電路３３に対して反対側の端部）からコア１０の短辺方向に屈曲して形成された端子部３７と、導電路３６の端部（導電路３４に対して反対側の端部）からコア１０の長辺方向に屈曲して形成された端子部３８とを有している。これら端子部３７、３８には、それぞれネジ止め固定を可能とする貫通孔３７ａ、３８ａが設けられている。このような平板状コイル３０を、絶縁ケース２０が装着されたコア１０に絶縁ケース２０の上から配置することで、図１（ｂ）に示すインダクタ１が得られる。
【００２１】
図２（ａ）は、上述した構成のインダクタ１を２つ使用し、絶縁ケース２０及び平板状コイル３０がそれぞれ付加された状態で、２つのコア１０をそれぞれの各磁脚頂上面１１ａ、１２ａ及び１３ａが対向して当接するように組み合わせた状態を示す斜視図である。なお、図２（ａ）では、２つのインダクタ１を区別するために、一方のインダクタ１及びその構成要素の符号に「Ａ」を付記し、他方のインダクタ１及びその構成要素の符号に「Ｂ」を付記している。また、以下の説明において、必ずしも両者を区別する必要がない場合には、符号に「Ａ」或いは「Ｂ」を付記しない場合がある。
【００２２】
図２（ａ）に示すように、同一構成の２つのインダクタ１Ａ、１Ｂを組み合わせることにより、２つの平板状コイル３０Ａ、３０Ｂの端子部３８Ａ、３８Ｂは、外磁脚１１側の側面１０ｄの中央位置で重なり合って接続し、２つの平板状コイル３０Ａ、３０Ｂの端子部３７Ａ、３７Ｂは、外磁脚１２側の側面１０ｃで離間する。言い換えれば、２つのインダクタ１Ａ、１Ｂを組み合わせた場合に、図２（ａ）に示す状態となるように、平板状コイル３０は加工形成されている。
【００２３】
また、図２（ａ）に示すように、２つのインダクタ１Ａ、１Ｂにおけるコア１０Ａ、１０Ｂが組み合わされることで、両者の外磁脚１１と内磁脚１３との間の溝部１４による空間Ｓ１が形成され、両者の外磁脚１２と内磁脚１３との間の溝部１５による空間Ｓ２が形成される。これらの空間Ｓ１、Ｓ２を利用して１次コイルを巻回することで、後述するような平板状コイル３０Ａ、３０Ｂを２次コイルとして使用するトランス１００を得ることが可能となる。
【００２４】
図２（ｂ）は、図２（ａ）のように組み合わされたインダクタ１Ａ、１Ｂ（以下、合成インダクタと称す）の等価回路図である。この図２（ｂ）に示すように、合成インダクタの等価回路は、コア１０Ａに巻回されて一端を端子部３７Ａ、他端を端子部３８Ａとする平板状コイル３０Ａと、コア１０Ｂに巻回されて一端を端子部３７Ｂ、他端を端子部３８Ｂとする平板状コイル３０Ｂとが直列接続された構成となる。つまり、平板状コイル３０Ａと３０Ｂの接続部分である端子部３８Ａ、３８Ｂは、平板状コイル３０Ａと３０Ｂをトランスの２次コイルとして使用した場合のセンタータップとして利用できる。
【００２５】
図３（ａ）は、図２（ａ）に示す合成インダクタを、さらにもう１組用意して隣り合うように配置した状態を示す斜視図である。なお、図３（ａ）では、追加したもう１組の合成インダクタを構成する一方のインダクタ１及びその構成要素の符号に「Ｃ」を付記し、他方のインダクタ１及びその構成要素の符号に「Ｄ」を付記している。
【００２６】
つまり、等価回路としては、図３（ｂ）に示すように、コア１０Ｃに巻回されて一端を端子部３７Ｃ、他端を端子部３８Ｃとする平板状コイル３０Ｃと、コア１０Ｄに巻回されて一端を端子部３７Ｄ、他端を端子部３８Ｄとする平板状コイル３０Ｄとが直列接続された部分が追加される。この場合、平板状コイル３０Ｃと３０Ｄの接続部分である端子部３８Ｃ、３８Ｄは、平板状コイル３０Ｃと３０Ｄをトランスの２次コイルとして使用した場合のセンタータップとして利用できる。以下では、説明の便宜上、２次コイル３０Ａと３０Ｂの接続部分である端子部３８Ａ、３８ＢをセンタータップＣＴ１と称し、２次コイル３０Ｃと３０Ｄの接続部分である端子部３８Ｃ、３８ＤをセンタータップＣＴ２と称する。
【００２７】
このように２つの合成インダクタを隣り合うように配置した構成において、２つの合成インダクタのそれぞれに形成される空間Ｓ１、Ｓ２を利用して１次コイルを巻回し、平板状コイル３０Ａ、３０Ｂ、３０Ｃ、３０Ｄをトランスの２次コイルとして使用すると、後述のような２次側が２系統に分割された分割型のトランス１００を得ることができる。
【００２８】
〔トランス〕
続いて、本実施形態におけるトランス１００について説明する。図４（ａ）は、本実施形態におけるトランス１００の斜視図であり、図４（ｂ）は、図４（ａ）に示すトランス１００のｂ矢視図であり、図４（ｃ）は、図４（ａ）に示すトランス１００のｃ矢視図であり、図４（ｄ）は、図４（ａ）に示すトランス１００のｄ矢視図であり、図４（ｅ）は、図４（ａ）に示すトランス１００のｅ矢視図であり、図４（ｆ）は、図４（ａ）に示すトランス１００のｆ矢視図である。なお、これらの図では、１次コイルの図示を省略している（１次コイルが巻回された状態のトランス１００については図５を参照）。
【００２９】
図４（ａ）〜（ｅ）に示すように、本実施形態におけるトランス１００は、図３（ａ）に示した２組の合成インダクタの平板状コイル３０Ａ、３０Ｂ、３０Ｃ、３０Ｄを２次コイルとして使用した分割型トランスであり、インダクタ１Ａのコア１０Ａ及びインダクタ１Ｃのコア１０Ｃの各々に当接する凸部５１、５２を有し、各コア１０Ａ、１０Ｃに共通するように配置されたＣ型コア５０と、このＣ型コア５０において隣り合う凸部５１、５２の間に形成された溝部５３を沿うように配置された平板状の平滑コイルバスバー６０と、をさらに備えている。
【００３０】
平滑コイルバスバー６０の一端はセンタータップＣＴ１及びＣＴ２に向かって折り曲げられ、その先端部にはセンタータップＣＴ１及びＣＴ２に共通接続される共通接続部６１が設けられている。この共通接続部６１の両側には、貫通孔６１ａ、６１ｂが形成されており、センタータップＣＴ１及びＣＴ２と一体的にネジ止め固定することが可能となっている。平滑コイルバスバー６０の他端は２次コイルの端子部（以下、２次側接続端子と称す）３７Ａ、３７Ｂ、３７Ｃ、３７Ｄに向かって延ばされ、その先端部には貫通孔６２ａが形成されたグランド接続部６２が設けられている。
【００３１】
図５（ａ）は、上記のトランス１００において、１次側回路（スイッチング回路）と接続するための１次側接続端子４１、４２が設けられた１次コイル４０が、２組の合成インダクタのそれぞれに形成される空間Ｓ１、Ｓ２を利用して巻回された状態を示す斜視図であり、図５（ｂ）は、その状態におけるトランス１００の等価回路図である。
【００３２】
図５（ｂ）に示すように、トランス１００の等価回路は、図３（ｂ）に示した等価回路において、センタータップＣＴ１及びＣＴ２が平滑コイルバスバー６０の共通接続部６１に共通接続され、１次側接続端子４１、４２が両端に接続された１次コイル４０が追加された構成となる。つまり、１次側接続端子４１、４２を介して１次コイル４０に１次交流電圧を印加すると、１次コイル４０と２次コイル３０Ａ、３０Ｂ、３０Ｃ、３０Ｄのそれぞれの巻数比に応じた２次交流電圧が、２次側接続端子３７ＡとセンタータップＣＴ１との端子間、２次側接続端子３７ＢとセンタータップＣＴ１との端子間、２次側接続端子３７ＣとセンタータップＣＴ２との端子間、２次側接続端子３７ＤとセンタータップＣＴ２との端子間に発生することになる。
【００３３】
以上のように、本実施形態におけるトランス１００によれば、従来ではトランスの外部に設けていた平滑コイルを、トランスに一体的に組み込んだ構成としたことにより、後述のスイッチング電源４００の組み付け点数を少なくして、装置全体を小型化することができる。また、トランス１００と平滑コイル６０との間の配線距離を短くできるため、回路損失を低減することができる。
【００３４】
〔スイッチング電源〕
続いて、本実施形態におけるスイッチング電源４００について説明する。図６は、本実施形態におけるスイッチング電源４００の回路構成図である。この図６に示すように、本実施形態におけるスイッチング電源４００は、上述したトランス１００と、トランス１００の１次側に接続されたスイッチング回路２００と、トランス１００の２次側に接続された整流回路３００とから構成されている。
【００３５】
トランス１００の回路構成は、図５（ｂ）と同様であるので説明を省略する。スイッチング回路２００は、外部から入力される直流電圧を、スイッチング動作によって１次交流電圧に変換してトランス１００の１次側に出力する回路であり、直流電圧を入力するための正極入力端子２０１及び負極入力端子２０２と、４つのトランジスタ２０３、２０４、２０５、２０６と、４つのスナバダイオード２０７、２０８、２０９、２１０と、共振コイル２１１とから構成されている。
【００３６】
各トランジスタ２０３、２０４、２０５、２０６は、例えばｎ型の電界効果トランジスタ（ＦＥＴ：Field Effect Transister）である。トランジスタ２０３と２０５のドレイン端子は正極入力端子２０１と接続され、トランジスタ２０４と２０６のソース端子は負極入力端子２０２と接続されている。そして、トランジスタ２０３のソース端子とトランジスタ２０４のドレイン端子が接続され、トランジスタ２０５のソース端子とトランジスタ２０６のドレイン端子が接続されている。なお、トランジスタ２０６のドレイン端子（トランジスタ２０５のソース端子）は、トランス１００の１次側接続端子４２と接続されている。
【００３７】
また、図６では図示を省略しているが、各トランジスタ２０３、２０４、２０５、２０６のゲート端子はＰＷＭ（Pulse Width Modulation）制御回路と接続されている。つまり、各トランジスタ２０３、２０４、２０５、２０６のオン／オフ動作（スイッチング動作）は、ＰＷＭ制御回路から各ゲート端子に入力されるＰＷＭ信号によって制御されている。
【００３８】
スナバダイオード２０７は、トランジスタ２０３のドレイン−ソース端子間に並列接続されている。スナバダイオード２０８は、トランジスタ２０４のドレイン−ソース端子間に並列接続されている。スナバダイオード２０９は、トランジスタ２０５のドレイン−ソース端子間に並列接続されている。スナバダイオード２１０は、トランジスタ２０６のドレイン−ソース端子間に並列接続されている。共振コイル２１１の一端はトランジスタ２０３のソース端子（トランジスタ２０４のドレイン端子）と接続され、他端はトランス１００の１次側接続端子４１と接続されている。
【００３９】
一方、整流回路３００は、トランス１００から出力される２次交流電圧を、整流作用によって直流電圧に変換して外部に出力する回路であり、４つの整流ダイオード３０１、３０２、３０３、３０４、平滑コンデンサ３０５及び出力端子３０６から構成されている。
【００４０】
整流ダイオード３０１のアノード端子はトランス１００の２次側接続端子３７Ａに接続され、カソード端子は出力端子３０６と接続されている。整流ダイオード３０２のアノード端子はトランス１００の２次側接続端子３７Ｂに接続され、カソード端子は出力端子３０６と接続されている。整流ダイオード３０３のアノード端子はトランス１００の２次側接続端子３７Ｃに接続され、カソード端子は出力端子３０６と接続されている。整流ダイオード３０４のアノード端子はトランス１００の２次側接続端子３７Ｄに接続され、カソード端子は出力端子３０６と接続されている。平滑コンデンサ３０５の一端は出力端子３０６に接続され、他端は共通のグランドラインに接続されている。また、トランス１００の平滑コイルバスバー６０のグランド接続端子６２も、共通のグランドラインと接続されている。
【００４１】
このように、本実施形態におけるトランス１００をスイッチング電源４００のメイントランスとして利用する構成を採用することにより、装置全体の小型化及び回路損失の低減を図ることの可能なスイッチング電源４００を得ることができる。
【００４２】
〔変形例〕
なお、本発明は上記実施形態に限定されず、以下のような変形例が挙げられる。
（１）上記実施形態では、図１に示したような形状を有する平板状コイル（２次コイル）３０を例示したが、この平板状コイル３０は、少なくともコア１０の側面１０ａ、１０ｂと溝部底面１４ａ、１５ａを沿うような形状をしていれば良く、端子部３７、３８の有無や位置は特に限定されない。
【００４３】
（２）上記実施形態では、図４に示したように、トランス１００として合成インダクタ（インダクタ１が２つ組み合わされたもの）を２組使用する分散型トランスを例示して説明したが、本発明に係るトランスはこれに限定されず、合成インダクタを１組、或いは３組以上の複数使用するトランスを構成しても良い。また、複数の合成インダクタを用いる場合には、Ｃ型コア５０（共通コア）の形状を適宜変更すれば良い。
【００４４】
（３）上記実施形態では、図６に示したような回路構成のスイッチング回路２００と整流回路３００を有するスイッチング電源４００を例示して説明したが、これらの回路構成はあくまで一例であり、スイッチング電源４００に要求される性能や仕様、或いはトランス１００の構成に応じて、スイッチング回路２００と整流回路３００の回路構成を適宜変更しても良い。
【符号の説明】
【００４５】
１…インダクタ、１０…コア、２０…絶縁ケース、３０…平板状コイル（２次コイル）、４０…１次コイル、５０…Ｃ型コア（共通コア）、６０…平滑コイルバスバー、１００…トランス、２００…スイッチング回路、３００…整流回路、４００…スイッチング電源
【図１】
0005462663.tif 000002
【図２】
0005462663.tif 000003
【図３】
0005462663.tif 000004
【図４】
0005462663.tif 000005
【図５】
0005462663.tif 000006
【図６】
0005462663.tif 000007